(57)【要約】【課題】第二接触部に対する第一接触部の上下方向の変位量を確保できると共に、上下方向に小型の電気接続用端子及びこれを備えるコネクタを提供する。【解決手段】端子４０は、第一接続対象物と導通する第一接触部５０と、第二接続対象物と導通する第二接触部６０と、第一接触部５０から第二接触部６０まで伸長する連結部７０と、を備える。連結部７０は、上方空間を経由すると共に中間空間をはみ出して伸長している。ここで、上方空間とは、第一接触部５０と第二接触部６０の両方よりも端子上方側の空間をいい、中間空間とは、連結部７０の始点７０ａよりも端子後方であって、連結部７０の終点７０ｂよりも端子前方の空間をいう。【選択図】図１０
2020021715.tif 000002
【特許請求の範囲】
【請求項１】
端子上方向に挿入される第一接続対象物に端子水平方向から接触することにより前記第一接続対象物と導通する第一接触部と、
前記第一接触部の端子後方に配置され、第二接続対象物と導通する第二接触部と、
前記第一接触部から前記第二接触部まで伸長することで前記第一接触部と前記第二接触部とを連結し、前記第一接触部が前記第二接触部に対して端子上下方向に相対変位できるように構成された連結部と、
を備える端子であって、
前記連結部は、上方空間を経由すると共に中間空間をはみ出して伸長している、
電気接続用端子。
【請求項２】
前記連結部は、当該連結部の端子上端位置で端子前後方向に延びる天延部を含み、
前記天延部は、中間空間を伸長する中間天延部と、中間空間の外を伸長するはみ出し天延部と、を含む、
請求項１に記載の電気接続用端子。
【請求項３】
前記連結部は、当該連結部の端子上端位置で端子前後方向に延びる天延部を含み、
前記天延部は、中間空間を伸長する中間天延部と、中間空間から前側にはみ出した前側はみ出し天延部と、中間空間から後側にはみ出した後側はみ出し天延部と、を含む、
請求項１に記載の電気接続用端子。
【請求項４】
前記第一接触部は、前壁、一対の側壁及び後壁で構成されることで端子上下方向に直交する断面形状が矩形の第一筒部を含み、
前記連結部は、
前記第一筒部の前記後壁が端子上方に延長されることで形成された第一根本部と、
前記連結部の伸長方向において前記第一根本部の直後に形成され、中間空間から端子前側にはみ出す前側はみ出し部と、を含む、
請求項１〜請求項３の何れか一項に記載の電気接続用端子。
【請求項５】
前記前側はみ出し部は、前記第一筒部の前記前壁よりも端子前側に突出していない、
請求項４に記載の電気接続用端子。
【請求項６】
前記第二接触部は、前壁、一対の側壁及び後壁で構成されることで端子上下方向に直交する断面形状が矩形の第二筒部を含み、
前記連結部は、
前記第二筒部の前記前壁が端子上方に延長されることで形成された第二根本部と、
前記連結部の伸長方向において前記第二根本部の直前に形成され、中間空間から端子後側にはみ出す後側はみ出し部と、を含む、
請求項１〜請求項５の何れか一項に記載の電気接続用端子。
【請求項７】
前記後側はみ出し部は、前記第二筒部の前記後壁よりも端子後側に突出していない、
請求項６に記載の電気接続用端子。
【請求項８】
前記第一接触部は、前壁、一対の側壁及び後壁で構成されることで端子上下方向に直交する断面形状が矩形の第一筒部を含み、
前記第二接触部は、前壁、一対の側壁及び後壁で構成されることで端子上下方向に直交する断面形状が矩形の第二筒部を含み、
前記連結部は、
前記第一筒部の前記後壁が端子上方に延長されることで形成された第一根本部と、
前記第二筒部の前記前壁が端子上方に延長されることで形成された第二根本部と、
前記連結部の伸長方向において前記第一根本部の直後に形成され、中間空間から端子前側にはみ出す前側はみ出し部と、
前記連結部の伸長方向において前記第二根本部の直前に形成され、中間空間から端子後側にはみ出す後側はみ出し部と、を含み、
前記前側はみ出し部は、前記第一筒部の前記前壁よりも端子前側に突出しておらず、
前記後側はみ出し部は、前記第二筒部の前記後壁よりも端子後側に突出していない、
請求項１〜請求項３の何れか一項に記載の電気接続用端子。
【請求項９】
前記第一接触部は、前壁、一対の側壁及び後壁で構成されることで端子上下方向に直交する断面形状が矩形の第一筒部を有し、
前記第二接触部は、前壁、一対の側壁及び後壁で構成されることで端子上下方向に直交する断面形状が矩形の第二筒部を有し、
前記連結部は、
前記第一筒部の前記後壁が端子上方に延長されることで形成された第一根本部と、
前記第二筒部の前記前壁が端子上方に延長されることで形成された第二根本部と、
前記連結部の伸長方向において前記第一根本部の直後に形成され、中間空間から端子前側にはみ出す前側はみ出し部と、
前記連結部の伸長方向において前記第二根本部の直前に形成され、中間空間から端子後側にはみ出す後側はみ出し部と、
当該連結部の端子上端位置で端子前後方向に延びる天延部と、を含み、
前記天延部は、中間空間を延びる中間天延部と、中間空間から端子前側にはみ出した前側はみ出し天延部と、中間空間から端子後側にはみ出した後側はみ出し天延部と、を含み、
前記前側はみ出し天延部は、前記前側はみ出し部の一部を構成し、
前記後側はみ出し天延部は、前記後側はみ出し部の一部を構成し、
前記前側はみ出し部は、前記第一筒部の前記前壁よりも前側に突出しておらず、
前記後側はみ出し部は、前記第二筒部の前記後壁よりも後側に突出していない、
請求項１に記載の電気接続用端子。
【請求項１０】
請求項１〜請求項９の何れか一項に記載の電気接続用端子と、
前記電気接続用端子を収容するハウジングと、
を備えるコネクタ。
【発明の詳細な説明】
【技術分野】
【０００１】
本発明は、電気接続用端子に関する。
【背景技術】
【０００２】
特許文献１に開示されている電気接続用端子は、端子上方向に挿入される接続対象物（第一接続対象物）に挿抜方向に直交する方向（水平方向）から接触することにより接続対象物と導通する接触部（第一接触部）と、基板（第二接続対象物）と導通する固定部（第二接触部）と、接触部から固定部まで伸長する可動部と、を備えている。接続対象物と接続した状態で接続対象物が挿抜方向に位置ずれを生ずると、端子の可動部が弾性変形することにより、端子の接触部が接続対象物と共に接続対象物の挿抜方向に変位し、接続対象物の位置ずれが吸収されるようになっている。
【０００３】
更に、上記電気接続用端子では、可動部を、接触部側から接続対象物の挿入方向に向かって延びるとともに、接触部を迂回するように接続対象物の抜去方向に向かって固定部側に延びるように形成することで、端子全体を接続対象物の挿抜方向に大型化させることなく接触部の変位量を大きくしている。
【先行技術文献】
【特許文献】
【０００４】
【特許文献１】特許５２５４４７３号公報
【発明の概要】
【発明が解決しようとする課題】
【０００５】
しかしながら、従来の電気接続用端子には、端子全体の上下方向（第一接続対象物の挿抜方向）の寸法拡大を抑制しつつ、第二接触部に対する第一接触部の上下の変位量を大きくすることに関し、更なる改善の余地がある。
【０００６】
そこで、本発明は、第二接触部に対する第一接触部の上下方向の変位量を確保できると共に、上下方向に小型の電気接続用端子及びこれを備えるコネクタを提供することを目的とする。
【課題を解決するための手段】
【０００７】
第１の態様に係る電気接続用端子は、端子上方向に挿入される第一接続対象物に端子水平方向から接触することにより前記第一接続対象物と導通する第一接触部と、前記第一接触部の端子後方に配置され、第二接続対象物と導通する第二接触部と、前記第一接触部から前記第二接触部まで伸長することで前記第一接触部と前記第二接触部とを連結し、前記第一接触部が前記第二接触部に対して端子上下方向に相対変位できるように構成された連結部と、を備える端子であって、前記連結部は、上方空間を経由すると共に中間空間をはみ出して伸長している、電気接続用端子である。
ここで、上方空間とは、前記第一接触部と前記第二接触部の両方よりも端子上方側の空間をいい、中間空間とは、前記連結部の第一接触部側の始点よりも端子後方であって、前記連結部の第二接触部側の終点よりも端子前方の空間をいう。
【０００８】
この態様では、電気接続用端子が、第一接続対象物と導通する第一接触部と、第二接続対象物と導通する第二接触部と、第一接触部と第二接触部とを連結する連結部と、を備える。第一接触部は、端子上方向に挿入される第一接続対象物に端子水平方向から接触することにより、第一接続対象物と導通する。第二接触部は、第一接触部の端子後方に配置されている。連結部は、第一接触部から第二接触部まで伸長することで、第一接触部と第二接触部とを連結している。また、連結部は、第一接触部が第二接触部に対して端子上下方向に相対変位できるように構成されている。
【０００９】
そして、この態様では、連結部が、上方空間（第一接触部と第二接触部の両方よりも端子上方の空間）を経由するので、連結部のうち端子上方に伸長する部分と端子下方に伸長する部分との両方で連結部の長さを稼ぐことができる。その結果、端子上下方向の寸法を大きく形成せずとも、連結部の長さを稼ぐことができる。
【００１０】
更に、この態様では、連結部が、中間空間をはみ出して伸長している。これにより、中間空間の外の空間を活用して連結部の長さを稼ぐことができるため、連結部を中間空間の中のみを伸長する場合と比較して、連結部の長さを稼ぐことができる。
【００１１】
なお、端子前方向、端子上方向などの方向を示す語は、端子の構成を説明するための表現の便宜上定義したものであり、電気接続用端子が使用される状態での端子の姿勢を限定するものではない。
【００１２】
第２の態様に係る電気接続用端子は、第１の態様に係る電気接続用端子において、前記連結部は、当該連結部の端子上端位置で端子前後方向に延びる天延部を含み、前記天延部は、中間空間を伸長する中間天延部と、中間空間の外を伸長するはみ出し天延部と、を含む。
【００１３】
この態様では、連結部が、当該連結部の端子上端位置で端子前後方向に延びる天延部を含む。そして、天延部は、中間空間を伸長する中間天延部と、中間空間の外を伸長するはみ出し天延部と、を含む。これにより、天延部の一部が中間空間からはみ出しているので、天延部が中間空間をはみ出さない態様と比較して、コネクタ上部の空間を有効に活用することできる。
【００１４】
第３の態様に係る電気接続用端子は、第１の態様に係る電気接続用端子において、前記連結部は、当該連結部の端子上端位置で端子前後方向に延びる天延部を含み、前記天延部は、中間空間を伸長する中間天延部と、中間空間から端子前側にはみ出した前側はみ出し天延部と、中間空間から端子後側にはみ出した後側はみ出し天延部と、を含む。
【００１５】
この態様に係る電気接続用端子では、連結部が、当該連結部の端子上端位置で前後方向に延びる天延部を含む。そして、天延部は、中間空間を伸長する中間天延部と、中間空間から前側にはみ出した前側はみ出し天延部と、中間空間から後側にはみ出した後側はみ出し天延部と、を含む。これにより、天延部の一部が中間空間からはみ出しているので、天延部が中間空間をはみ出さない態様と比較して、コネクタ上部の空間を有効に活用することできる。更に、天延部が中間空間から前後にはみ出しているので、中間空間の外の空間をより一層有効活用することができる。
【００１６】
第４の態様に係る電気接続用端子は、第１〜第３の何れかの態様に係る電気接続用端子において、前記第一接触部は、前壁、一対の側壁及び後壁で構成されることで端子上下方向に直交する断面形状が矩形の第一筒部を含み、前記連結部は、前記第一筒部の前記後壁が端子上方に延長されることで形成された第一根本部と、前記連結部の伸長方向において前記第一根本部の直後に形成され、中間空間から端子前側にはみ出す前側はみ出し部と、を含む。
【００１７】
この態様では、第一接触部が、前壁、一対の側壁及び後壁で構成されることで端子上下方向に直交する断面形状が矩形の第一筒部を含むので、第一接触部の剛性が確保されている。
また、連結部は、第一筒部の後壁が上方に延長されることで形成された第一根本部と、連結部の伸長方向において第一根本部の直後に形成され、中間空間から端子前側にはみ出す前側はみ出し部と、を含む。このため、第一筒部の上方の空間を有効に活用することができる。
【００１８】
第５の態様に係る電気接続用端子は、第４の態様において、前記前側はみ出し部は、前記第一筒部の前記前壁よりも端子前側に突出していない。
【００１９】
この態様では、第一接触部が、前壁、一対の側壁及び後壁で構成されることで端子上下方向に直交する断面形状が矩形の第一筒部を含むので、第一接触部の剛性が確保されている。
また、連結部は、第一筒部の後壁が上方に延長されることで形成された第一根本部と、連結部の伸長方向において第一根本部の直後に形成され、中間空間から端子前側にはみ出す前側はみ出し部と、を含む。このため、第一筒部の上方の空間を有効に活用することができる。
更に、前側はみ出し部は、第一筒部の前壁よりも端子前側に突出していないので、端子全体の前後寸法の拡大が抑制されている。
【００２０】
第６の態様に係る電気接続用端子は、第１〜第５の何れかの態様において、前記第二接触部は、前壁、一対の側壁及び後壁で構成されることで端子上下方向に直交する断面形状が矩形の第二筒部を含み、前記連結部は、前記第二筒部の前記前壁が端子上方に延長されることで形成された第二根本部と、前記連結部の伸長方向において前記第二根本部の直前に形成され、中間空間から端子後側にはみ出す後側はみ出し部と、を含む。
【００２１】
この態様では、第二接触部が、前壁、一対の側壁及び後壁で構成されることで端子上下方向に直交する断面形状が矩形の第二筒部を含むので、第二接触部の剛性が確保されている。
また、連結部は、第二筒部の前壁が上方に延長されることで形成された第二根本部と、連結部の伸長方向において第二根本部の直前に形成され、中間空間から端子後側にはみ出す後側はみ出し部と、を含む。このため、第二筒部の上方の空間を有効に活用することができる。
【００２２】
第７の態様に係る電気接続用端子は、第６の態様において、前記後側はみ出し部は、前記第二筒部の前記後壁よりも端子後側に突出していない。
【００２３】
この態様では、第二接触部が、前壁、一対の側壁及び後壁で構成されることで端子上下方向に直交する断面形状が矩形の第二筒部を含むので、第二接触部の剛性が確保されている。
また、連結部は、第二筒部の前壁が上方に延長されることで形成された第二根本部と、連結部の伸長方向において第二根本部の直前に形成され、中間空間から端子後側にはみ出す後側はみ出し部と、を含む。このため、第二筒部の上方の空間を有効に活用することができる。
更に、後側はみ出し部は、第二筒部の後壁よりも端子後側に突出していないので、端子全体の前後寸法の拡大が抑制されている。
【００２４】
第８の態様に係る電気接続用端子は、第１〜第３の何れかの態様において、前記第一接触部は、前壁、一対の側壁及び後壁で構成されることで端子上下方向に直交する断面形状が矩形の第一筒部を含み、前記第二接触部は、前壁、一対の側壁及び後壁で構成されることで端子上下方向に直交する断面形状が矩形の第二筒部を含み、前記連結部は、前記第一筒部の前記後壁が端子上方に延長されることで形成された第一根本部と、前記第二筒部の前記前壁が端子上方に延長されることで形成された第二根本部と、前記連結部の伸長方向において前記第一根本部の直後に形成され、中間空間から端子前側にはみ出す前側はみ出し部と、前記連結部の伸長方向において前記第二根本部の直前に形成され、中間空間から端子後側にはみ出す後側はみ出し部と、を含み、前記前側はみ出し部は、前記第一筒部の前記前壁よりも端子前側に突出しておらず、前記後側はみ出し部は、前記第二筒部の前記後壁よりも端子後側に突出していない。
【００２５】
第９の態様に係る電気接続用端子は、第１の態様において、前記第一接触部は、前壁、一対の側壁及び後壁で構成されることで端子上下方向に直交する断面形状が矩形の第一筒部を有し、前記第二接触部は、前壁、一対の側壁及び後壁で構成されることで端子上下方向に直交する断面形状が矩形の第二筒部を有し、前記連結部は、前記第一筒部の前記後壁が端子上方に延長されることで形成された第一根本部と、前記第二筒部の前記前壁が端子上方に延長されることで形成された第二根本部と、前記連結部の伸長方向において前記第一根本部の直後に形成され、中間空間から端子前側にはみ出す前側はみ出し部と、前記連結部の伸長方向において前記第二根本部の直前に形成され、中間空間から端子後側にはみ出す後側はみ出し部と、当該連結部の端子上端位置で端子前後方向に延びる天延部と、を含み、前記天延部は、中間空間を延びる中間天延部と、中間空間から端子前側にはみ出した前側はみ出し天延部と、中間空間から端子後側にはみ出した後側はみ出し天延部と、を含み、前記前側はみ出し天延部は、前記前側はみ出し部の一部を構成し、前記後側はみ出し天延部は、前記後側はみ出し部の一部を構成し、前記前側はみ出し部は、前記第一筒部の前記前壁よりも前側に突出しておらず、前記後側はみ出し部は、前記第二筒部の前記後壁よりも後側に突出していない。
【００２６】
第１０の態様に係るコネクタは、第１〜第１０の何れかの態様に係る電気接続用端子と、前記電気接続用端子を収容するハウジングと、を備えるコネクタである。
【発明の効果】
【００２７】
以上説明したように、本発明は、第二接触部に対する第一接触部の上下方向の変位量を確保できると共に、上下方向に小型の電気接続用端子及びこれを備えるコネクタを提供することができるという優れた効果を有する。
【図面の簡単な説明】
【００２８】
【図１】実施形態に係るコネクタの分解斜視図である。
【図２】ハウジングに端子を収容した状態の斜視図である。
【図３】組立状態のコネクタを示す斜視図である。
【図４】図３の断面図である。
【図５】図４とは別の断面位置における断面図である。
【図６】コネクタの断面側面図である。
【図７】図６とは別の断面位置における断面側面図である。
【図８】図６，７とは別の断面位置における断面側面図である。
【図９】端子の斜視図である。
【図１０】端子の側面図である。
【図１１】ハウジングに２つの端子が収容された状態を示す斜め上方からみた図である。
【図１２】ハウジングと３つの端子を省略して示す斜め下方からみた図である。
【発明を実施するための形態】
【００２９】
以下、本発明の実施形態に係るコネクタ１０について説明する。
【００３０】
各図に示す矢印Ｘは、端子前方向及びコネクタ前方向を示し、矢印Ｙは、端子幅方向及びコネクタ幅方向を示し、矢印Ｚは、端子上方向及びコネクタ上方向を示す。また、端子上下方向に直交する方向を端子水平方向という。以下、単に前方向、幅方向、上方向などということがある。なお、これら方向を示す語は説明の便宜上定義したものであり、端子やコネクタが使用される状態での姿勢を限定するものではない。
【００３１】
図１に示すように、コネクタ１０は、ハウジング本体２０、複数の端子４０及びカバー３０を備える。まず、複数の端子４０がハウジング本体２０に収容され（図２参照）、その後、カバー３０がハウジング本体２０に取り付けられることで、コネクタ１０が組立てられる（図３参照）。ハウジング本体２０及びカバー３０が本開示の「ハウジング」に相当する。
【００３２】
＜端子＞
図１に示すように、複数（本実施形態では５つ）の端子４０は、互いに同一の形状とされている。図９、図１０などに示すように、端子４０は、第一接触部５０と、第二接触部６０と、第一接触部５０から第二接触部６０まで伸長することで第一接触部５０と第二接触部６０とを連結する連結部７０と、を備える。
【００３３】
第一接触部５０は、上方向に挿入される「第一接続対象物」としての相手側端子９２と接触して導通する部分である。第二接触部６０は、上方向に挿入される「第二接続対象物」としての基板固定端子９４と接触して導通する部分である。基板固定端子９４は、基板（図示省略）に半田付けなどされて導通するので、端子４０を介して、基板と相手側端子９２とが導通する。
【００３４】
連結部７０は、弾性変形容易に形成されている。これにより、連結部７０は、第一接触部５０が第二接触部６０に対して上下方向（挿抜方向）に変位できるように構成されている。
【００３５】
第一接触部５０は、前壁５１Ｆ、一対の側壁５１Ｓ及び後壁５１Ｒにより構成された第一筒部５１を有する。第一筒部５１は、上下方向に直交する断面形状が矩形とされている。
第二接触部６０は、前壁６１Ｆ、一対の側壁６１Ｓ及び後壁６１Ｒにより構成された第二筒部６１を有する。第二筒部６１は、上下方向に直交する断面形状が矩形とされている。
【００３６】
図７に示すように、第一接触部５０は、相手側端子９２に対して前後方向から接触することで導通接続する。相手側端子９２は、第一接触部５０の屈曲した接触片５２と、第一接触部５０の後壁５１Ｒとの間に挟持され、これにより、第一接触部５０が相手側端子９２に固定される。第一接触部５０の接触片５２は、上下一対形成されている。上側の接触片５２は、第一接触部５０の前壁５１Ｆの上部から下方に向けて伸長しており、下側の接触片５２は、第一接触部５０の前壁５１Ｆの下部から上方に向けて伸長している。また、第一接触部５０の後壁５１Ｒには、第一接触部５０の内部に突出するビード５１Ｒ１が形成されている。ビード５１Ｒ１の上下方向に延びている。ビード５１Ｒ１の下端は、下側の接触片５２の接点よりも下側に位置し、ビード５１Ｒ１の上端は、上側の接触片５２の接点よりも上側に位置している。
【００３７】
第二接触部６０は、基板固定端子９４に対して前後方向から接触することで導通する。基板固定端子９４は、第二接触部６０の屈曲した接触片６２と、第二接触部６０の前壁６１Ｆとの間に挟持され、これにより、第二接触部６０が基板固定端子９４に固定される。第二接触部６０の接触片６２は、上下一対形成されている。上側の接触片６２は、第二接触部６０の後壁６１Ｒの上部から下方に向けて伸長しており、下側の接触片６２は、第二接触部６０の後壁６１Ｒの下部から上方に向けて伸長している。また、第二接触部６０の前壁６１Ｆには、第二接触部６０の内部に突出するビード６１Ｆ１が形成されている。ビード６１Ｆ１の上下方向に延びている。ビード６１Ｆ１の下端は、下側の接触片６２の接点よりも下側に位置し、ビード６１Ｆ１の上端は、上側の接触片６２の接点よりも上側に位置している。
【００３８】
連結部７０は、第一接触部５０と第二接触部６０の両方よりも上側（相手側端子９２の挿入方向側）の空間（以下、「上方空間」という。）を伸長している。具体的には、第一接触部５０の上端と第二接触部６０の上端とは、上下方向の位置が一致している。そして、連結部７０は、第一接触部５０の上端を始点７０ａとして上方空間を伸長し、第二接触部６０の上端を終点７０ｂとしている。
【００３９】
図６に示すように、コネクタ幅方向（端子配列方向）から見て、連結部７０の始点７０ａよりも後側、かつ、連結部７０の終点７０ｂよりも前側の空間を「中間空間」という。連結部７０は、中間空間に位置しない部分（以下、「はみ出し部」ということがある。）を有する。換言すると、連結部７０は、中間空間をはみ出して伸長している。
【００４０】
連結部７０は、第一伸長部７１、第二伸長部７２、第三伸長部７３、第四伸長部７４、第五伸長部７５、第六伸長部７６及び第七伸長部７７を伸長方向でこの順に有する。
【００４１】
第一伸長部７１は上方向に伸長し、第二伸長部７２は前方向に伸長し、第三伸長部７３は上方向に伸長し、第四伸長部７４は後方向に伸長し、第五伸長部７５は下方向に伸長し、第六伸長部７６は前方向に伸長し、第七伸長部７７は下方向に伸長している。
【００４２】
第一伸長部７１は、第一筒部５１の後壁５１Ｒが上方に延長されることで形成されている（以下「第一根本部７１」ともいう。）。第七伸長部７７は、第二筒部６１の前壁６１Ｆが上方に延長されることで形成されている（以下「第二根本部７７」ともいう。）。第四伸長部７４は、連結部７０の上端位置を前後方向に直線状に延びている（以下「天延部７４」ともいう。）。
【００４３】
第四伸長部７４は、中間空間よりも前側にはみ出した前側はみ出し天延部７４Ｆと、中間空間を延びる中間天延部７４Ｍと、中間空間よりも後側にはみ出した後側はみ出し天延部７４Ｒと、から構成されている。
【００４４】
第二伸長部７２、第三伸長部７３及び前側はみ出し天延部７４Ｆは、中間空間よりも前側にはみ出しており、前側はみ出し部７０Ｆとなっている。後側はみ出し天延部７４Ｒ、第五伸長部７５及び第六伸長部７６は、中間空間よりも後側にはみ出しており、後側はみ出し部７０Ｒとなっている。これにより、連結部７０は、中間空間に対して前側にはみ出した部分である前側はみ出し部７０Ｆと、中間空間に対して後側にはみ出した部分である後側はみ出し部７０Ｒと、を有する。
【００４５】
＜ハウジング＞
ハウジング本体２０は、第一接触部５０を収容する第一収容部２１と、第二接触部６０を収容する第二収容部２２と、を有する。第一収容部２１及び第二収容部２２は、上方に開口されており、ハウジング本体２０の上方から端子４０の第一接触部５０と第二接触部６０を収容することができる。第一収容部２１と第二収容部２２とは、前後隔壁２３によって区画されている。第一接触部５０及び第二接触部６０は、端子４０の数だけ設けられ、複数の第一収容部２１は、幅隔壁２４Ｆにより互いに区画され、複数の第二収容部２２は、幅隔壁２４Ｒにより互いに区画されている。
【００４６】
図１１に示すように、第一収容部２１の前壁面には、上下方向に延びる拡大溝２６Ｆが形成されている。拡大溝２６Ｆにより第一接触部５０の接触片５２が変形する空間が確保されている。第一収容部２１の前壁面のうち拡大溝２６Ｆ以外の部分は、第一筒部５１の前壁５１Ｆが接触するように構成されている。
図１１に示すように、第二収容部２２の後壁面には、上下方向に延びる拡大溝２６Ｒが形成されている。拡大溝２６Ｒにより第二接触部６０の接触片６２が変形する空間が確保されている。第二収容部２２の後壁面のうち拡大溝２６Ｒ以外の部分は、第二筒部６１の後壁５１Ｒが接触するように構成されている。
【００４７】
図７に示すように、第一接触部５０の下側の接触片５２の基端部５２Ａは、第一筒部５１の外側（前側）に突出している。また、第二接触部６０の下側の接触片６２の基端部６２Ａは、第二筒部６１の外側（後側）に突出している。
【００４８】
ハウジング本体２０は、カバー３０を係止する係止部２５を有する。係止部２５は、ハウジング本体２０の左右に一対形成されている。係止部２５は、ハウジング本体２０の左右の側壁から上方へ延びるように形成されている。ハウジング本体２０の係止部２５にカバー３０の被係止部３１が係止されることで、ハウジング本体２０にカバー３０が取り付けられる。ハウジング本体２０にカバー３０が取り付けられた状態において、カバー３０は、ハウジング本体２０に対して上下方向の僅かな範囲で移動可能な状態になる。つまり、カバー３０は、ハウジング本体２０に対して上下方向のガタツキがある状態となる。
【００４９】
＜カバー＞
カバー３０は、端子４０の連結部７０を収容する連結収容部３２を有する。連結収容部３２は、カバー３０の内部に形成された空間であり、カバー３０の天壁３０Ｔと前後左右の側壁３０Ｓに囲まれた空間である。
【００５０】
カバー３０は、第一接触部５０に上側から当接することで第一接触部５０の上方向の移動範囲を規制する規制部３３Ｆを備える。規制部３３Ｆは、第一接触部５０の第一筒部５１の前壁５１Ｆの上端面に当接する。規制部３３Ｆは、連結収容部３２の前壁面に形成された下方向を向く面である。
カバー３０は、第二接触部６０に上側から当接することで第二接触部６０の上方向の移動範囲を規制する規制部３３Ｒを備える。規制部３３Ｒは、第二接触部６０の第二筒部６１の後壁６１Ｒの上端面に当接する。規制部３３Ｒは、連結収容部３２の後壁面に形成された下方向を向く面である。
【００５１】
カバー３０の連結収容部３２の前壁面には、連結収容部３２が前方に拡大された拡大溝３４Ｆが形成されている。拡大溝３４Ｆは、連結部７０の前方に位置する。拡大溝３４Ｆは、上下方向に延びるように形成されている。
カバー３０の連結収容部３２の後壁面には、連結収容部３２が後方に拡大された拡大溝３４Ｒが形成されている。拡大溝３４Ｒは、連結部７０の後方に位置する。拡大溝３４Ｒは、上下方向に延びるように形成されている。
【００５２】
換言すると、連結収容部３２の前壁面及び後壁面のうち拡大溝３４Ｆ，３４Ｒ以外の部分は、拡大溝３４Ｆ，３４Ｒに対して突出した突出部３５といえる。突出部３５の上部は、突出量が大きな第一突出部３６とされ、突出部３５の下部は、突出量が第一突出部３６よりも小さな第二突出部３７とされている。第一突出部３６と第二突出部３７との境界に形成された段差における下方向を向く面が規制部３３Ｆ，３３Ｒとされている。
【００５３】
＜作用効果＞
次に、本実施形態の作用効果について説明する。
【００５４】
本実施形態では、電気接続用端子４０が、相手側端子９２と導通する第一接触部５０と、基板固定端子９４と導通する第二接触部６０と、第一接触部５０と第二接触部６０とを連結する連結部７０と、を備える。第一接触部５０は、端子上方向に挿入される相手側端子９２に端子水平方向から接触することにより、相手側端子９２と導通する。第二接触部６０は、第一接触部５０の端子後方に配置されている。連結部７０は、第一接触部５０から第二接触部６０まで伸長することで、第一接触部５０と第二接触部６０とを連結している。また、連結部７０は、第一接触部５０が第二接触部６０に対して端子上下方向に相対変位できるように構成されている。
【００５５】
そして、連結部７０が、上方空間（第一接触部５０と第二接触部６０の両方よりも端子上方の空間）を経由するので、連結部７０のうち端子上方に伸長する部分と端子下方に伸長する部分との両方で連結部７０の長さを稼ぐことができる。その結果、端子上下方向の寸法を大きく形成せずとも、連結部７０の長さを稼ぐことができる。
【００５６】
更に、連結部７０が、中間空間をはみ出して伸長している。これにより、中間空間の外の空間を活用して連結部７０の長さを稼ぐことができるため、連結部７０が中間空間の中のみを伸長する場合と比較して、連結部７０の長さを稼ぐことができる。
以上により、端子４０やコネクタ１０を上下方向に大きく形成せずとも、連結部７０が容易に弾性変形する。その結果、基板や基板固定端子９４に対して相手側端子９２が上下方向に振動した場合における第一接触部５０における摺動や第二接触部６０における摺動を抑制できる。
【００５７】
また、本実施形態では、連結部７０が、当該連結部７０の端子上端位置で端子前後方向に延びる天延部７４を含む。そして、天延部７４は、中間空間を伸長する中間天延部７４Ｍと、中間空間の外を伸長するはみ出し天延部７４Ｆ、７４Ｒと、を含む。これにより、天延部７４の一部が中間空間からはみ出しているので、天延部７４が中間空間をはみ出さない態様と比較して、コネクタ１０上部（ハウジング内部の上部）の空間有効に活用することできる。
なお、本実施形態では、天延部７４が直線状に延びている例（具体的には板厚方向を上下方向に向けたまま前後方向に直線状に延びており、端子側面視でも端子平面視でも直線状に延びている例）を説明したが、天延部７４の形状を変更してもよい。
例えば、天延部７４を、連結部７０の端子上端位置で板厚方向を上下方向に向けたまま端子側面視で端子前後方向に直線状に延びる構成は維持しつつ、端子平面視では（打抜き加工等で）端子幅方向に蛇行しながら、前後方向に延びている構成に変更してもよい。
また例えば、天延部７４を、連結部７０の端子上端位置で、端子上下方向の小さな蛇行をしながら、前後方向に延びる構成に変更してもよい。
【００５８】
更に、本実施形態では、天延部７４は、中間空間を伸長する中間天延部７４Ｍと、中間空間から前側にはみ出した前側はみ出し天延部７４Ｆと、中間空間から後側にはみ出した後側はみ出し天延部７４Ｒと、を含む。これにより、天延部７４が中間空間から前後にはみ出しているので、中間空間の外の空間をより一層有効活用することができる。
【００５９】
また、本実施形態では、第一接触部５０が、前壁５１Ｆ、一対の側壁５１Ｓ及び後壁５１Ｒで構成されることで端子上下方向に直交する断面形状が矩形の第一筒部５１を含むので、第一接触部５０の剛性が確保されている。
また、連結部７０は、第一筒部５１の後壁５１Ｒが上方に延長されることで形成された第一根本部７１と、連結部７０の伸長方向において第一根本部７１の直後に形成され、中間空間から端子前側にはみ出す前側はみ出し部７０Ｆと、を含む。このため、第一筒部５１の上方の空間を有効に活用することができる。つまり、連結部７０が第一筒部５１の後壁５１Ｒを始点としているので、第一接触部５０の上方の空間を有効に利用して連結部７０の長さを稼ぐことができる。
【００６０】
更に、本実施形態では、前側はみ出し部７０Ｆは、第一筒部５１の前壁５１Ｆよりも端子前側に突出していないので、端子４０全体の前後寸法の拡大が抑制されている。
【００６１】
また、本実施形態では、第二接触部６０が、前壁６１Ｆ、一対の側壁６１Ｓ及び後壁６１Ｒで構成されることで端子上下方向に直交する断面形状が矩形の第二筒部６１を含むので、第二接触部６０の剛性が確保されている。
また、連結部７０は、第二筒部６１の前壁６１Ｆが上方に延長されることで形成された第二根本部７７と、連結部７０の伸長方向において第二根本部７７の直前に形成され、中間空間から端子後側にはみ出す後側はみ出し部７０Ｒと、を含む。このため、第二筒部６１の上方の空間を有効に活用することができる。つまり、連結部７０が第二筒部６１の前壁６１Ｆを終点としているので、第二接触部６０の上方の空間を有効に利用して連結部７０の長さを稼ぐことができる。
【００６２】
更に、本実施形態では、後側はみ出し部７０Ｒは、第二筒部６１の後壁６１Ｒよりも端子後側に突出していないので、端子４０全体の前後寸法の拡大が抑制されている。
【００６３】
〔上記実施形態の補足説明〕
なお、本発明は上記実施形態に限定されない。
【００６４】
例えば、連結部７０に前側はみ出し部７０Ｆが形成されていなくてもよい。具体的には、連結部７０が第二伸長部７２、第三伸長部７３及び前側はみ出し天延部７４Ｆを有さず、第一伸長部７１が中間天延部７４Ｍに繋がっていてもよい。
【００６５】
例えば、連結部７０に後側はみ出し部７０Ｒが形成されていなくてもよい。具体的には、連結部７０が後側はみ出し天延部７４Ｒ、第五伸長部７５及び第六伸長部７６を有さず、中間天延部７４Ｍの先端と第七伸長部７７の基端が繋がっていてもよい。
【００６６】
例えば、第一根本部７１が、第一筒部５１の前壁５１Ｆが上方に延長されることで形成されていてもよい。また、第二根本部７７が、第二筒部６１の後壁５１Ｒが上方に延長されることで形成されていてもよい。これら場合は、カバー３０の内部を拡大などすればよい。
【００６７】
例えば、上記実施形態では、連結部７０の全体が上方空間を伸長していたが、連結部７０の一部が上方空間以外を伸長していてもよい。具体的には、第一接触部５０の上端と第二接触部６０の上端とが、上下方向の位置が一致していなくてもよく、第一接触部５０の上端よりも第二接触部６０の上端の方が上方に位置していてもよい。
【００６８】
また、上記実施形態では、カバー３０の規制部３３Ｆ，３３Ｒが、第一筒部５１や第二筒部６１の上端面に当接することで、第一接触部５０や第二接触部６０の上方向の移動範囲を制限していたが、本発明はこれに限定されない。例えば、第一接触部５０の突出部５９（図６参照）や第二接触部６０の突出部６９がカバー３０の側壁３０Ｓの下端面に当接することで第一接触部５０や第二接触部６０の上方向の移動範囲が制限されるものとしてもよい。そのためには、例えば、突出部３５の第一突出部３６を省略し、突出部３５の全体を第二突出部３７と同じ突出量とすればよい。
【００６９】
また、上記実施形態では、「第二接続対象物」が基板に固定される基板固定端子９４である例を説明したが、第二接続対象物は基板自体であってもよい。
【符号の説明】
【００７０】
１０   コネクタ
２０   ハウジング本体（ハウジング）
３０   カバー（ハウジング）
４０   端子（電気接続用端子）
５０   第一接触部
５１   第一筒部
５１Ｆ 前壁
５１Ｒ 後壁
５１Ｓ 側壁
６０   第二接触部
６１   第二筒部
６１Ｆ 前壁
６１Ｒ 後壁
６１Ｓ 側壁
７０   連結部
７０Ｆ 前側はみ出し部
７０Ｒ 後側はみ出し部
７０ａ 始点
７０ｂ 終点
７１   第一伸長部（第一根本部）
７２   第二伸長部（はみ出し部）
７３   第三伸長部（はみ出し部）
７４   第四伸長部（天延部）
７４Ｆ 前側はみ出し天延部（はみ出し部）
７４Ｍ 中間天延部
７４Ｒ 後側はみ出し天延部（はみ出し部）
７５   第五伸長部（はみ出し部）
７６   第六伸長部（はみ出し部）
７７   第七伸長部（第二根本部）
９２   相手側端子（第一接続対象物）
９４   基板固定端子（第二接続対象物）
【図１】
2020021715.tif 000003
【図２】
2020021715.tif 000004
【図３】
2020021715.tif 000005
【図４】
2020021715.tif 000006
【図５】
2020021715.tif 000007
【図６】
2020021715.tif 000008
【図７】
2020021715.tif 000009
【図８】
2020021715.tif 000010
【図９】
2020021715.tif 000011
【図１０】
2020021715.tif 000012
【図１１】
2020021715.tif 000013
【図１２】
2020021715.tif 000014